(57)【要約】【課題】構造体にプレストレスを導入するための緊張材を、構造体に定着する緊張材定着具において、構造体の支圧面から定着具及び緊張材の先端部が突出する長さを短縮するとともに、緊張材の中心を所定の位置に正確に設定して定着する。【解決手段】  内周面及び外周面にネジ山を有する長ナット１２の内側に、緊張材1の端部に設けられたネジ部を、長ナット２の長さの約半分までねじ込む。この長ナット２の外周面のネジ山は、定着ナット１３に螺合し、定着ナットを支圧板３に係止する。定着ナットの外周面は、先端に近くなるほど断面が縮小された楔状となっており、内周面が対応する傾斜角となった貫通孔内に嵌め入れて係止される。【選択図】図1
2007255149.tif 000002
【特許請求の範囲】
【請求項１】
緊張材の端部に装着され、該緊張材に導入される引張力の反力が構造体に伝達されるように該緊張材を定着する緊張材定着具であって、
前記緊張材が挿通される貫通孔を有し、前記構造体に当接して配置される支圧板と、
前記緊張材の端部に形成されたねじ部が内側に螺合され、外周面にもねじ山が形成された長ナットと、
前記長ナットの外周面に螺合され、前記支圧板に係止されて緊張材の引張力を前記支圧板に伝達する定着ナットとを有し、
前記支圧板に設けられた貫通孔の内周面は、前記緊張材の定着される端部側から該緊張材が伸びた方向に向かって断面が縮小するように、該緊張材の軸線に対して傾斜しており、
前記定着ナットは、外周面が前記貫通孔の内周面の傾斜に対応して傾斜し、前記貫通孔内でくさび状に係止されるものであることを特徴とする緊張材定着具。
【請求項２】
前記定着ナットは、前記緊張材の端部側の外周部に、軸線周りに回転させるための工具係合部が形成され、
該定着ナットを前記支圧板の貫通孔に装着したときに、前記工具係合部は、該支圧板の表面より前記緊張材の端部側に突出し、
外周面が傾斜した楔状部は、前記支圧板の前記構造体に当接される支圧面と先端がほぼ同一平面上に位置するか又は支圧面からわずかに先端が突出もしくは後退するものであることを特徴とする請求項１に記載の緊張材定着具。
【請求項３】
前記長ナットには、前記緊張材がねじ込まれた側と反対側から保護ボルトがねじ込まれ、該保護ボルトは、後端面が前記長ナットの端面と同一又は該長ナットの端面より奥までねじ込まれていることを特徴とする請求項１又は請求項２に記載の緊張材定着具。
【請求項４】
前記支圧板の貫通孔の周辺部に、表面から支圧面となる背面側に貫通する複数のグラウト孔を有し、
前記背面側の開口部は、該支圧板に接合され緊張材が挿通されるシースの内側に設けられていることを特徴とする請求項１、請求項２又は請求項３に記載の緊張材定着具。
【請求項５】
緊張材に導入される引張力の反力が支圧板を介して構造体に伝達されるように、該緊張材を構造体に定着する方法であって、
前記構造体の所定の位置に前記緊張材と前記支圧板とを配置する工程と、
内周面と外周面との双方にネジ山が形成された長ナットの内側に、前記緊張材の端部に形成されたネジ部を螺合する工程と、
前記支圧板に設けられた貫通孔に延長鋼材を挿通し、該延長鋼材の端部に形成されたネジ部を前記緊張材と反対側から前記長ナットの内側に螺合して、前記緊張材と前記延長鋼材とを連結する工程と、
外周面が楔状に傾斜し、前記支圧板の貫通孔内に嵌合される定着ナットを、前記長ナットの外周部のネジ山と螺合する工程と、
前記延長鋼材にセンターホールジャッキを装着し、前記支圧板に反力を作用させて前記延長鋼材を牽引して緊張材に張力を導入する工程と、
前記緊張材に所定の引張力を導入するともに、前記定着ナットを回転して前記支圧板の貫通孔内に締め込み、前記定着ナットの傾斜した外周面を、対応するように傾斜した貫通孔の内周面に当接させる工程と、
前記センターホールジャッキによる牽引力を解除し、該センターホールジャッキ及び延長鋼材を撤去する工程とを含むことを特徴とする緊張材定着方法。
【請求項６】
前記定着ナットを前記長ナットに螺合する工程は、
外側に前記定着ナットが螺合可能なガイドナットを、前記延長鋼材のネジ部に螺合しておき、このガイドナットの外周面に形成されたネジ山に前記定着ナット螺合し、
該定着ナット又はガイドナットを回転させて、前記支圧板に形成された貫通孔に前記定着ナットを嵌め入れ、
その後に、緊張材に引張力を導入した状態で前記定着ナットを長ナットに螺合することを特徴とする請求項５に記載の緊張材定着方法。
【請求項７】
緊張材の端部に装着され、該緊張材に導入される引張力の反力が構造体に伝達されるように該緊張材を定着する緊張材定着具であって、
前記緊張材が挿通される貫通孔を有し、前記構造体に当接して配置される支圧板と、
前記緊張材の端部に形成されたネジ部と螺合され、前記支圧板に係止されて緊張材の引張力を前記支圧板に伝達するナットとを有し、
前記支圧板に設けられた貫通孔の内周面は、前記緊張材の端部側から該緊張材が伸びた方向に向かって断面が縮小するように、該緊張材の軸線に対して傾斜しており、
前記ナットは、外周面が前記貫通孔の内周面に対応して傾斜し、前記貫通孔内でくさび状に係止されるものであることを特徴とする緊張材定着具。
【請求項８】
前記ナットは、前記緊張材の端部側に、軸線周りに回転させるための工具係合部が形成され、
該ナットを前記支圧板の貫通孔に装着したときに、前記工具係止部が前記支圧板の表面より突出するものであることを特徴とする請求項７に記載の緊張材定着具。
【発明の詳細な説明】
【技術分野】
【０００１】
本願発明は、コンクリート等で形成された構造体にプレストレスを導入するための緊張材を、引張力が導入された状態で構造体に定着する緊張材定着具及び構造体に緊張材を定着する方法に関する。
【背景技術】
【０００２】
プレストレスを導入するための緊張材を構造体に定着する際に用いられる緊張材定着具としては、端部にねじ切りが施された緊張材にナットを螺合して定着するものと、緊張材に圧接されるくさびによって定着するものとが一般に知られている。このうち、ナットによって定着する緊張材定着具は、例えば特許文献1及び特許文献２に記載されているようにいくつかの提案がなされているが、基本的な構成は、図２０に示すようにナット１０２と支圧板１０３とを有するものである。つまり、緊張材１０１の端部に施されたねじ切り部１０１ａに螺合されるナット１０２と、緊張材１０１が挿通される貫通孔を有する支圧板１０３を備えており、緊張材１０１に螺合されたナット１０２が支圧板１０３に係止されるものとなっている。
このような定着具を用い、引張力が導入された状態で緊張材１０１をコンクリート構造体１００に定着すると、緊張材１０１の引張力がナット１０２を介して支圧板１０３に作用し、この支圧板１０３からコンクリート構造体１００内に圧縮力として伝達される。
【０００３】
上記定着具を用いるときの緊張作業及び定着作業は次のように行われる。
緊張材１０１の先端には、図２１に示すように緊張ロッド１０４を接続し、この緊張ロッド１０４にラムチェアー１０５とセンターホールジャッキ１０６を装着する。そして、センターホールジャッキ１０６の後端部に緊張ロッド１０４を係止する。緊張ロッド１０４をセンターホールジャッキ１０６に係止する構造は、緊張ロッド１０４の後端部に螺合されたナット１０７と支圧板１０８とを用い、緊張材１０１をコンクリート構造体１００に定着するのと同じ構造を採用することができる。なお、上記緊張ロッド１０４に代えて、緊張材１０１の先端部にカプラーを介して延長鋼棒を接続し、この延長鋼棒の後端部をセンターホールジャッキの後部に係止するものであってもよい。
【０００４】
緊張材１０１に接続された緊張ロッド１０４がセンターホールジャッキ１０６の後端部に係止されると、センターホールジャッキ１０６を駆動し、支圧板１０３を介してコンクリート構造体１００に反力を負荷することにより緊張材１０１をコンクリート構造体から引き出すように引張力を付与する。そして、緊張材１０１がコンクリート構造体１００から引き出されるのにしたがって、ラムチェアー１０５の側方からナット１０２を回転させて締め込む。このようにナット１０２が締め込まれると、センターホールジャッキ１０６の駆動を停止し、緊張ロッド１０４の牽引を解除してナット１０２を支圧板１０３に係止する。これにより、緊張材１０１は引張力が導入された状態で定着され、緊張材１０１の反力がコンクリート構造体１００に作用してコンクリート構造体にプレストレス（圧縮力）が導入される。
【特許文献１】特開昭４８−９１８３０号公報
【特許文献２】特開平３−２０８９６５号公報
【発明の開示】
【発明が解決しようとする課題】
【０００５】
しかしながら、上記のような従来から広く知られている緊張材定着具では、次のような問題点がある。
緊張力が導入された緊張材の定着端部は、図２２に示すようにコンクリート構造体１００の表面から支圧板１０３の厚さ、座金の厚さ、ナット１０２の厚さ及び緊張材１０１の先端部が突き出した状態となる。緊張材１０１の先端部は、緊張作業の終了時には緊張ロッド１０４を接続するための接続余長及び引張力の導入によって緊張材が伸びた分が、ナットの後端から突き出している。この突き出し長は、ナット１０２を確実に係止するために必要な余長を残して、定着後に切断することができるが、支圧板１０３の厚さとナット１０２の厚さとを加えた突き出し長は大きくなる。このため、防錆のためにこれらをコンクリートで被覆保護しようとすると、保護コンクリートの層厚を大きくしなければならない。
【０００６】
このような問題を解消するために、いわゆる箱抜きと称される切り欠き部設けて、この切り欠き部内で緊張材を定着することが行われるが、型枠、鉄筋の加工等に多くの工数が必要となり、経済的ではない。また、２方向の緊張材を定着しなければならない隅角部において、緊張材の定着具が互いに干渉し、配置が難しくなる。
【０００７】
一方、従来の緊張材定着具では、他に次のような問題点がある。
緊張材の径はコンクリート構造体１００内に設けられたシース孔径に比べ小さくなっており、緊張前においては緊張材が設計等において定められた本来配置すべき位置（計画中心線）から偏っていることがある。特に緊張材を水平又は水平に近い方向に配置したときには、緊張材が自重によりシース内の下面に内接して、偏心量が大きくなっている。従って緊張時には、緊張材等の中心線を調整する必要があり、この作業は緊張材、ラムチェアー１０５及びジャッキ等を所定の位置に人力で支えながらジャッキを駆動し、緊張材に引張力を導入することになる。このような作業は、一般に効率が悪くなるだけでなく、危険を伴う。また、緊張材及び定着具の中心線を厳密に調整することは難しく、薄い板状の部材では緊張材の位置が所定の計画中心に配置されていないと、コンクリート構造体に導入される応力分布が偏り、ひび割れ等の原因となることもある。
【０００８】
また、次のような問題点もある。
緊張材に引張力を導入した後は、緊張材とコンクリート構造体１００を一体化するために、図２３に示すように支圧板に設けられた注入孔１０３aよりシース内にグラウトを注入する。しかし、図２３に示すように従来の緊張材定着具では、支圧板１０３の貫通孔内で緊張材１０１との間には空隙が生じており、グラウトの注入時に空気が残留してグラウトが充填されにくくなる。特に緊張材が鉛直方向又はこれに近い方向に配置されたときには、上端側の定着具内でグラウトが充填されにくい。このため、グラウトが充填されずに残留空間となることがあり、水分が浸透して緊張材が劣化する原因となる。
【０００９】
本願に係る発明は、上記のような問題点に鑑みてなされたものであり、その目的は、緊張材が定着される構造体の面から定着具等が突出する長さを短縮し、緊張材定着具の配置及び被覆を容易にするとともに、緊張材及び定着具の中心を所定の位置に正確に設定することを可能とすることである。
【課題を解決するための手段】
【００１０】
上記課題を解決するために請求項１に係る発明は、  緊張材の端部に装着され、該緊張材に導入される引張力の反力が構造体に伝達されるように該緊張材を定着する緊張材定着具であって、  前記緊張材が挿通される貫通孔を有し、前記構造体に当接して配置される支圧板と、  前記緊張材の端部に形成されたねじ部が内側に螺合され、外周面にもねじ山が形成された長ナットと、  前記長ナットの外周面に螺合され、前記支圧板に係止されて緊張材の引張力を前記支圧板に伝達する定着ナットとを有し、  前記支圧板に設けられた貫通孔の内周面は、前記緊張材の定着される端部側から該緊張材が伸びた方向に向かって断面が縮小するように、該緊張材の軸線に対して傾斜しており、  前記定着ナットは、外周面が前記貫通孔の内周面の傾斜に対応して傾斜し、前記貫通孔内で楔状に係止されるものである緊張材定着具を提供する。
【００１１】
このような定着具では、長ナットの内側に緊張材の端部がねじ込んで接続され、この長ナットの外周面に定着ナットが螺合される。そして、この定着ナットが支圧板に設けられた貫通孔内に嵌め入れられ、定着ナットの外周面が貫通孔の傾斜する内周面に密接して楔のように係止される。したがって、緊張材の引張力は長ナット、定着ナットを介して支圧板に作用し、支圧板の背面（支圧面）から構造体に伝達される。
このように緊張材が定着された状態で、上記定着ナットは支圧板に設けられた貫通孔内に楔状に嵌め入れられているので、支圧板の表面から定着ナットが突出する量は小さく抑えることができる。また、緊張材は長ナット内にねじ込まれ、長ナットはこの定着ナット内に螺合されているので、長ナットや緊張材を定着ナットより突出させることなく定着することができる。したがって、平坦な端面を有するナットを平坦な支圧板の表面に当接して定着する従来の定着具より、構造体の表面から定着具及び緊張材端部が突出する量を大幅に低減することが可能となる。
【００１２】
また、緊張材、長ナット及び定着ナットは互いに螺合され、定着ナットは支圧板の貫通孔に楔状に嵌め合わされるので、それぞれの中心線は正確に一致しており、支圧板が予め正確な位置に配置されていれば、緊張材及び定着具は支圧板の貫通孔の中心に正確に一致した状態で定着される。
【００１３】
一方、ジャッキによって緊張材に引張力を導入するときには、長ナットに緊張材をねじ込んだ端面と反対側の端面から延長鋼材をねじ込み、この延長鋼材にジャッキを装着して、この延長鋼材及び長ナットを介して緊張材に引張力を導入することができる。つまり、長ナットを緊張材と延長鋼材との接続具として用いることができる。そして、緊張材に伸びが生じ、緊張材が構造体の端面から引き出されるのにともなって、定着ナットを支圧板の貫通孔にねじ込み、所定の引張力が導入された状態で定着ナットを支圧板に係止することができる。所定の緊張力が導入された後には、ジャッキを除去し、延長鋼材を長ナットから抜き取ることができるので、緊張材が長ナットから突出することもない。
【００１４】
なお、上記緊張材をコンクリート構造体に定着し、延長鋼材を抜き取った後の長ナットには、その後に増設される構造体にプレストレスを導入するための緊張材をねじ込んで接続することができる。この緊張材には、他方の端部において同様に緊張力を導入することができる。
【００１５】
請求項２に係る発明は、請求項１に記載の緊張材定着具において、  前記定着ナットは、前記緊張材の端部側の外周部に、軸線周りに回転させるための工具係合部が形成され、  該定着ナットを前記支圧板の貫通孔に装着したときに、前記工具係合部は、該支圧板の表面より前記緊張材の端部側に突出し、  外周面が傾斜した楔状部は、前記支圧板の前記構造体に当接される支圧面と先端がほぼ同一平面上に位置するか又は支圧面からわずかに先端が突出もしくは後退するものとする。
【００１６】
上記工具係合部が形成されていることにより、延長鋼材及び長ナットを介して緊張材に引張力を導入した状態で、定着ナットを容易に回転させることができる。そして、工具係合部が支圧板の表面より突き出していることにより、定着ナットを支圧板の貫通孔内に強く押し入れた状態とすることができる。その後、延長鋼材から緊張材に作用する引張力を解除すると、緊張材にほとんど緩みを生じることなく定着ナットは支圧板に係止され、引張力の反力が構造体に作用する。
また、楔状部の先端は支圧板の背面とほぼ同じであることにより、楔状部の周面を貫通孔の内周面の広い範囲に当接させることができる。また、定着ナットの外周面の径及び支圧板の貫通孔の径を小さくすることができ、支圧板の十分な強度を確保し、広い面積で構造体に当接させることができる。
なお、上記発明において、楔状部の先端が支圧板の背面よりわずかに突出している状態とは、先端が支圧板の背面より突出することによって定着ナットとシースとの間でグラウトの充填が困難にならない程度に突出量が抑えられているものである。また、楔状部の先端が支圧板の背面よりわずかに後退している状態とは、貫通孔内に生じた凹部へのグラウトの充填が困難に成らない程度とするものである。
【００１７】
請求項３に係る発明は、請求項１又は請求項２に記載の緊張材定着具において、  前記長ナットには、前記緊張材がねじ込まれた側と反対側から保護ボルトがねじ込まれ、該保護ボルトは、後端面が前記長ナットの端面と同一又は該長ナットの端面より奥までねじ込まれているものとする。
【００１８】
緊張材が定着された状態で、長ナットの緊張材がねじ込まれた側と反対側の端面では、内側の中空部分が開口している。この部分は、引張力の導入時に延長鋼材をねじ込むことができるものであるが、延長鋼材が撤去された後に、異物等が入ると再利用が難しくなる。
しかし、上記保護ボルトがねじ込まれていることにより、長ナットの内側に異物が入ったりネジ山が損傷するのが防止される。特に、緊張材に引張力を導入し、緊張材定着具をコンクリート等で被覆して構造物を完成した後、構造物の増設等によってさらに緊張材を延長配置するときには、上記保護ボルトを抜き取り、長ナットの内側に他の緊張材を接続することができる。そして、他端で引張力を導入して増設した構造物にプレスストレスを導入することができる。
【００１９】
請求項４に係る発明は、請求項１、請求項２又は請求項３に記載の緊張材定着具において、  前記支圧板の貫通孔の周辺部に、表面から支圧面となる背面側に貫通する複数のグラウト孔を有し、  前記背面側の開口部は、該支圧板に接合され緊張材が挿通されるシースの内側に設けられているものとする。
【００２０】
上記のようなグラウト孔は、簡単な加工で支圧板に形成することができる。そして、グラウト孔の長さを短くすることができ、円滑にグラウトを注入することができる。また、貫通孔の周辺に複数のグラウト孔が設けられていることにより、支圧板が配置された方向にかかわらず、グラウト注入時の空気の排出口を確保することができる。
【００２１】
請求項５に記載の発明は、  緊張材に導入される引張力の反力が支圧板を介して構造体に伝達されるように、該緊張材を構造体に定着する方法であって、  前記構造体の所定の位置に前記緊張材と前記支圧板とを配置する工程と、  内周面と外周面との双方にネジ山が形成された長ナットの内側に、前記緊張材の端部に形成されたネジ部を螺合する工程と、  前記支圧板に設けられた貫通孔に延長鋼材を挿通し、該延長鋼材の端部に形成されたネジ部を前記緊張材と反対側から前記長ナットの内側に螺合して、前記緊張材と前記延長鋼材とを連結する工程と、  外周面が楔状に傾斜し、前記支圧板の貫通孔内に嵌合される定着ナットを、前記長ナットの外周部のネジ山と螺合する工程と、  前記延長鋼材にセンターホールジャッキを装着し、前記支圧板に反力を作用させて前記延長鋼材を牽引して緊張材に張力を導入する工程と、  前記緊張材に所定の引張力を導入するともに、前記定着ナットを回転して前記支圧板の貫通孔内に締め込み、前記定着ナットの傾斜した外周面を、対応するように傾斜した貫通孔の内周面に当接させる工程と、  前記センターホールジャッキによる牽引力を解除し、該センターホールジャッキ及び延長鋼材を撤去する工程とを含む緊張材定着方法を提供する。
【００２２】
この方法では、緊張材が所定の引張力を導入したときの伸び量を考慮して切断され、端面が構造体の定着面より構造体側に入り込んだ状態に配置されていても、長ナットで接合された延長鋼材を用いて引張力を導入することができる。そして、引張力の導入によって緊張材に伸びが生じたときに、長ナットに螺合した定着ナットを用い、この定着ナットより長ナット及び緊張材が緊張端側に突出されることなく、緊張材を定着することができる。また、定着ナットは、支圧板の貫通孔内には嵌め入れられ、楔状に係止されるので、支圧板からナットが突出する量を低減することができる。
また、緊張材が定着された状態では、緊張材、長ナット、定着ナット及び支圧板の貫通孔の中心が一致するので、支圧板を構造体の所定の位置に正確に配置することにより、緊張材がシース内で偏心することなく、正確に配置することができる。
【００２３】
請求項６に係る発明は、請求項５に記載の緊張材定着方法において、  前記定着ナットを前記長ナットに螺合する工程は、  外側に前記定着ナットが螺合可能なガイドナットを、前記延長鋼材のネジ部に螺合しておき、このガイドナットの外周面に形成されたネジ山に前記定着ナット螺合し、  該定着ナット又はガイドナットを回転させて、前記支圧板に形成された貫通孔に前記定着ナットを嵌め入れ、  その後に、緊張材に引張力を導入した状態で前記定着ナットを長ナットに螺合するものである。
【００２４】
延長鋼材にジャッキを装着し、構造体に反力を作用させて緊張材に引張力を導入すると、ジャッキは構造体に強く押し付けられ、その位置及び緊張材の中心位置は動かせなくなる。しかし、上記のように緊張材に引張力が導入される前に、緊張材に螺合されたガイドナットの外側に定着ナットが螺合され、この定着ナットが支圧板の貫通孔に嵌め入れられた状態とすることにより、緊張材、長ナット、定着ナット及び支圧板に設けられてた貫通孔の中心が一致する。したがって、この状態でジャッキを作動し、緊張力を導入することによって、緊張材は正確な位置で引張力が導入され、定着される。
【００２５】
請求項７に係る発明は、  緊張材の端部に装着され、該緊張材に導入される引張力の反力が構造体に伝達されるように該緊張材を定着する緊張材定着具であって、  前記緊張材が挿通される貫通孔を有し、前記構造体に当接して配置される支圧板と、  前記緊張材の端部に形成されたネジ部と螺合され、前記支圧板に係止されて緊張材の引張力を前記支圧板に伝達するナットとを有し、  前記支圧板に設けられた貫通孔の内周面は、前記緊張材の端部側から該緊張材が伸びた方向に向かって断面が縮小するように、該緊張材の軸線に対して傾斜しており、  前記ナットは、外周面が前記貫通孔の内周面に対応して傾斜し、前記貫通孔内でくさび状に係止されるものである緊張材定着具を提供するものである。
【００２６】
また、請求項８に係る発明は、請求項７に記載の緊張材定着具において、  前記ナットは、前記緊張材の端部側に、軸線周りに回転させるための工具係合部が形成され、  該ナットを前記支圧板の貫通孔に装着したときに、前記工具係止部が前記支圧板の表面より突出するものとする。
【００２７】
この緊張材定着具では、緊張材に螺合されたナットが支圧板に設けられた貫通孔内に嵌め入れられ、楔状に係止される。したがって、緊張材に所定の引張力を導入して定着したときナットが支圧面の表面より突出する量を小さく抑えることができる。
また、緊張材に螺合したナットを支圧板の貫通孔内に嵌め入れることによって、緊張材の中心と支圧板に設けられた貫通孔の中心を正確に一致させることができる。したがって、支圧板が所定の位置に正確に配置されていると、緊張材に引張力を導入する前に、緊張材を正確な位置に配置し、この状態で引張力を導入して定着することができる。
【００２８】
また、ナットに工具係合部が形成され、支圧板の表面より突出していることにより、ナットを回転させて支圧板の貫通孔内に強く嵌め入れることができる。したがって、定着時に緊張材の緩みを生じることなく、所定の引張力が導入された状態で緊張材を定着することができる。
【発明の効果】
【００２９】
以上説明したように、本願発明の緊張材定着具では、構造体の支圧面から定着具等が突出する長さを短縮することができ、緊張材定着具の配置が容易になるとともに、定着具を被覆する保護層の厚さを小さくすることができる。また、緊張材の中心と支圧板に設けられた貫通孔の中心とを正確に一致させて定着することができ、支圧板を所定の位置に配置しておくことにより、緊張材を所定の正確な位置で定着することができる。
【発明を実施するための最良の形態】
【００３０】
以下、本願発明の実施の形態を図に基づいて説明する。
図１は、本願に係る発明の一実施形態である緊張材定着具を示す概略断面図である。
この緊張材定着具は、緊張材１１を用いてコンクリート構造体１０にプレストレスを導入するものであり、内周面及び外周面にネジ山が形成された長ナット１２と、内周面にネジ山が形成され、外周面は軸線方向に断面が縮小されて円錐楔状となった定着ナット１３と、中心部に貫通孔１４ａが設けられ、貫通孔の内周面が定着ナット１３の外周面に対応して傾斜した支圧板１４とを備えている。そして、緊張材端部のネジ部１１ａが長ナット１２にねじ込まれ、長ナット１２の外周面に設けられたネジ山１２ａが定着ナット１３内にねじ込まれ、この定着ナット１３の外周面が前記支圧板１４に設けられた貫通孔内に嵌め入れられ、楔状に係止されている。緊張材１１の引張力は、長ナット１２および定着ナット１３を介して支圧板１４に伝達され、さらにコンクリート構造体１０と支圧板１４との接触面からコンクリート構造体１０に作用して、プレストレスが導入されるものとなっている。
【００３１】
緊張材１１は、PC鋼棒が一般的に用いられ、端部にネジ部１１ａが形成されており、長ナット１２の内側に、該長ナット１２の約半分の長さまでねじ込むことができるようになっている。この緊張材１１は、コンクリート構造体１０に埋め込まれたシース１５内に挿通して配置され、シース１５はコンクリート構造体１０の表面近くで断面が拡張されている。
緊張材１１は、ＰＣ鋼棒の他に、ＰＣ鋼線、ＰＣ鋼より線、アラミド繊維等を樹脂で棒状に固めたロッド等を用いることもできるが、端部にねじ切りが可能となるように鋼からなる円筒状の部材を、圧着又はくさびで連結したり、接着剤、モルタル又は溶融金属等によって円筒状の部材を緊張材に固着して用いられる。
【００３２】
長ナット１２は、図２に示すように、内周面及び外周面にネジ山が精密に形成された金属性の円筒状の部材である。そして、緊張材１１の端部のネジ部１１ａが長ナット１２の一方の端部からねじ込まれ、反対側からは緊張力導入用の延長鋼材１６（図５に示す）がねじ込まれるものとなっている。このとき、引張力がこの延長鋼材１６から緊張材１１に伝達されるように、長ナットは軸線方向に充分な長さを有するものとする。また、長ナット１２の外周面に設けられたネジ山１２ａは、定着ナット１３と螺合されるものであり、緊張材１１に導入される引張力が伝達されるのに十分な範囲に設けられている。
【００３３】
この長ナット１２の軸線方向の中央部には、軸線と直角方向に小さな貫通孔が設けられ、ピン１２ｂが挿入して固定されている。双方の端部からねじ込まれた緊張材１１及び延長鋼材１６をそれぞれの先端が上記ピン１２ｂに突き当たるまでねじ込むことによって、延長鋼材１６から長ナット１２さらに緊張材１１へと引張力が確実に伝達されるのに充分なねじ込み長が確保される。
【００３４】
定着ナット１３は、図３に示すように、金属性の円筒状の部材であり、内周面にネジ山が形成されている。そして、長ナット１２の外周面に設けられたネジ山１２ａと螺合するものとなっている。
この定着ナットの外周部は、楔状部１３aと工具係合部１３bから構成される。楔状部１３aの外周面の断面形状は円形となっているが、先端側つまり緊張材が構造体内に伸びた方向に断面が縮小されている。これにより、支圧板１４の貫通孔内に嵌め入れられて、楔状に係止されるものとなっている。この、楔状部１３ａの軸線方向の長さは、下記支圧板１４の厚さとほぼ同じに設定されている。つまり、支圧板１４の貫通孔内に嵌め入れられたときに、貫通孔１４ａの内周面の全域に圧接され、応力の集中を生じることなく係止されるものとなっている。また、外周面の径は、十分な強度及び剛性を有する範囲で、できるだけ小さく寸法が設定され、貫通孔１４ａの内径が過大とならないように設定されている。
【００３５】
一方、工具係合部１３bは、楔状部１３aの後方に連続して設けられ、定着ナット１３を回転させる工具が係合できるように、例えば断面が多角形、円形の一部を切り欠いて平坦とした断面形状等となっており、軸線方向には係合に必要な長さを有するものとする。この工具係合部１３ｂは、支圧板１４の平坦な表面とは係合しないように、楔状部１３ａを形成する円錐曲面の延長面より内側に形成されている。
【００３６】
支圧板１４は、図４に示すように、円形もしくは多角形の金属性のプレートで、中央部に貫通孔１４ａを有している。貫通孔１４ａの内周面は、前記緊張材１１が伸びた方向に向かって断面が縮小するように、該緊張材の軸線に対して傾斜しており、この傾斜角は定着ナット１３の楔状部１３ａの外周面と対応している。したがって、定着ナット１３は、貫通孔１４ａに嵌め入れられた状態で、外周面と貫通孔１４ａの内周面が密接し、楔状に係止することができるものである。
支圧板１４の貫通孔の周辺部には、グラウト注入孔１４ｂが複数設けられている。この
グラウト注入孔１４ｂは支圧板１４の表面から支圧板１４の背面つまりコンクリート構造体１０に接触する支圧面に貫通するものとし、支圧面側でシース１５の拡径部１５ｂに開口している。
【００３７】
コンクリート構造体１０には、上記緊張材１１を配置するシース１５が埋め込まれている。シース１５の端部は、長ナット２が収容できるように内径が拡大されている。このシース拡径部１５aの長さは、緊張材１１の端部に螺合された長ナット1２が引張力の導入によって引き出される量つまり緊張材の伸び量によって決定される。すなわち、長ナット１２は予めシース拡径部１５ａ内の奥まった位置に配置され、所定の引張力が導入されたときに、定着ナット１３を介して支圧板１４に係止される位置までの伸びが生じるように緊張材１１及び長ナット１２が配置されるものである。
【００３８】
次に、上記緊張材定着具を用いて緊張材１１に引張力を導入し、定着する方法について説明する。
まず、図５に示すように、緊張材１１および支圧板１４をコンクリート構造体１０の所定の位置に設置する。支圧板１４は予めコンクリート構造体１０に埋め込んでおいてもよいし、コンクリート構造体１０の表面に当接して支持してもよい。支圧板１４は、貫通孔１４ａの中心が緊張材１１を配置すべき中心線と正確に一致するように配置する。緊張材１１は、所定の引張力を導入したときの伸び量を考慮した長さに切断されており、端面は支圧板１４より構造体側のシース１５内に位置している。この緊張材１１の端部に設けられたネジ部１１ａに長ナット１２を螺合し、緊張材１１を長ナット１２の軸線方向における長さの約半分までねじ込む。そして、長ナット１２の反対側には、延長鋼材１６をねじ込んで、緊張材１１と延長鋼材１６とを連結する。その際、あらかじめ延長鋼材１６には、ガイドナット１８を螺合し、さらにこのガイドナット１８の外側に定着ナット１３を螺合しておく。ガイドナット１８は、長ナット１２と内径及び外径が同じものであり、長ナット１２と同様に内周面と外周面との双方にネジ切りがなされている。
【００３９】
上記のように緊張材１１に螺合されたガイドナット１８又は定着ナット１３を回転し、図６に示すように、定着ナット１３とガイドナット１８とが螺合された状態を維持しながら定着ナット１３を支圧板１４の貫通孔１４ａ内に嵌め入れる。これにより、緊張材１１の中心線は支圧板１４に設けられた貫通孔１４ａの中心と正確に一致する。
【００４０】
次に、図６に示すように、上記延長鋼材１６にはセンターホールジャッキ１７を装着し、センターホールジャッキ１７の後部に延長鋼材１６を係止する。この延長鋼材１６のセンターホールジャッキ１７への係止は、例えば延長鋼材１６の後端部に形成されたねじ切り部にナット１９を螺合して行うことができる。上記センターホールジャッキ１７とコンクリート構造体１０との間には、ラムチェアー２０を介挿するものとし、このラムチェアー２０は支圧板１４に当接される。
【００４１】
その後、センターホールジャッキ１７を油圧により作動し、延長鋼材１６を後方へ押し出す。これにより長ナット１２を介して緊張材１１に引張力が導入され、その反力はセンターホールジャッキ１７からラムチェアー２０を介してコンクリート構造体１０に作用する。この反力が作用することにより、ラムチェアー２０及びセンターホールジャッキ１７の位置は固定され、緊張材１１の中心位置も固定される。
緊張材１１に引張力が導入されると、図７に示すように緊張材１１に伸びが生じて長ナット１２は徐々に支圧板１４の貫通孔１４ａ内まで引き出される。その状態において、定着ナット１３を回転させて長ナット１２の外周面のネジ山１２ａと螺合させる。このとき、ガイドナット１８は延長鋼材１６に螺合された状態のまま定着ナット１３のみを回転させるため、ガイドナット１８と定着ナット１３との螺合は解除される。
なお、定着ナット１３と長ナット１２とは中心線が一致しているため、両者の螺合は容易におこなうことができる。
【００４２】
なお、上記ガイドナット１８を用いないと、図１１に示すように緊張材１１及び延長鋼材１６の位置が定まらず、ジャッキを作動して引張力を導入したときに、偏心した状態で位置が固定されることがある。このように偏心した状態で緊張材及び延長鋼材の位置が固定されると、長ナット１２と支圧板１４とが干渉して緊張材１１に引張力が導入できなくなったり、定着ナット１３と長ナット１２との螺合が難しくなる。ただし、緊張材１１の長さが短く、伸び量が小さいときには、長ナット１２の一部が支圧板１４の貫通孔内に突き入れられた状態で配置されることがあり、この場合には緊張材１１に引張力を導入する前に定着ナット１３を長ナット１２に螺合することができる。これにより緊張材１１の中心位置が貫通孔１４ａの中心と一致するのでガイドナット１８を用いる必要はない。
【００４３】
緊張材１１の引張作業が開始され、緊張材１１の位置が固定された後、さらにセンターホールジャッキ１７を作動して引張力を増大しながら定着ナット１３を回転させ、定着ナット１３を長ナット１２に深く螺合させる。定着ナット１２の回転は、ラムチェアー２０の側方から定着ナット１３の工具係合部１３ｂに工具を係合して行なうことができる。緊張材１１に所定の引張力が導入されたとき、図８に示すように定着ナット１３を支圧板の貫通孔１４a内に嵌め入れ、定着ナット１３の外周面に形成された楔状部１３ａが貫通孔１４ａの内周面に強く押圧されるまで定着ナット１３を強く締め付ける。
【００４４】
その後、センターホールジャッキ１７による延長鋼材１６の引張力を開放すると、緊張材１１の引張力は、長ナット１２から定着ナット１３を経て支圧板１４に作用し、支圧板１４はコンクリート構造体１０の支圧面に圧接される。これにより、コンクリート構造体１０には圧縮力が作用し、プレストレスが導入される。
【００４５】
緊張材の定着後、センターホールジャッキ１７、ラムチェアー２０、ガイドナット１８及び延長鋼材１６を撤去し、図９に示すように、長ナット１２の延長鋼材１６が螺合されていた中空部に、保護ボルト２１をねじ込む。また、グラウト注入孔１４ｂに接続した注入管２２からグラウトを圧入し、シース１５内の空間に充填する。その際、定着ナット１３は支圧板の貫通孔１４ｂに密着して係止され、先端は支圧板の背面とほぼ同一平面上にあるため、グラウトが入りにくい空間は存在せず、グラウトが完全に注入される。
そして、図１０に示すように、支圧板１４及び緊張材定着具を覆うように保護コンクリート２３を打設する。
【００４６】
上記のように緊張材１１が定着されることにより、緊張材１１又は緊張材定着具がコンクリート構造体１０の支圧面から突出する長さは、定着ナット１３の工具係合部１３ｂのみとなり、従来に比べて突出長を短縮できる。したがって、緊張材１１及びその定着具の配置が容易になるとともに、定着具を被覆する保護コンクリート２３の厚さを小さくすることができる。
【００４７】
また、この緊張材定着具を用いたコンクリート構造体１０では、一旦コンクリート構造体の構築を完了した後、コンクリート構造体の増設が必要となった場合には、図１０に示す保護コンクリート２３を撤去した後、保護ボルト２１を抜き取ることによって長ナット１２内に延長する緊張材をねじ込むことができる。したがって、増設部分に配置する緊張材の定着具を新たに配置する必要がなくなり、さらに、既設のコンクリート構造体１０との境界部にも圧縮力が作用するようにプレストレスを導入することが可能となる。
【００４８】
図１２は、本願に係る発明の他の実施形態である緊張材定着具を示す概略断面図である。
この緊張材定着具は、外周面が円錐曲面となった楔状のナット３２と、中心部に貫通孔が設けられ、その内周面が上記ナット３２の外周面に対応して傾斜している支圧板３３とを有するものである。そして、緊張材３１の端部のネジ部３１ａがナット３２にねじ込まれ、このナット３２の外周面が前記支圧板３３の貫通孔内で楔状に係止される。緊張材３１の引張力は、ナット３２を介して支圧板３３に伝達され、さらにコンクリート構造体１０の支圧面に伝達されてプレストレスを導入するものとなっている。
【００４９】
この緊張材定着具によって定着される緊張材３１は、図１から図４までに示す定着具と同様に、ＰＣ鋼棒が一般的に用いられるが、端部にネジ部が形成され、ナットによって係止される緊張材であれば用いることができる。
【００５０】
上記ナット３２は、図１３に示すように、金属からなり、内周面に緊張材３１と螺合するネジ山が精密に形成されている。そして、外周部は、楔状に傾斜した外周面を有する楔状部３２aと、このナットを軸線周りに回転させるための工具係合部３２bから構成される。
【００５１】
楔状部３２aは外周面の断面形状が円形となっており、定着する緊張材の先端側から緊張材が構造体内に伸びた方向に向かって断面が縮小するものである。これにより、支圧板３３の貫通孔内に嵌め入れられて、楔状に係止されるものとなっている。この、楔状部３２ａの軸線方向の長さは、下記支圧板３３の厚さより大きく、支圧板３３の貫通孔内に嵌め入れられたときに、楔状部３２ａの後方端つまり緊張材の端面側が支圧板３３の表面とほぼ一致し、先端は支圧板３３の背面つまり構造体に当接される支圧面より構造体側に突き出すようになっている。
【００５２】
一方、工具係合部３２ｂは、楔状部３２ａの後方に連続して設けられ、ナット３２を回転させる工具が係合できるように、例えば断面が多角形又は円形の一部を切り欠いて平坦とした断面形状となっており、軸線方向には係合に必要な長さを有するものとする。この
工具係合部３２ｂは、楔状部３２ａを形成する円錐曲面の延長面より内側に形成され、支圧板３３の平坦な表面とは係合しないようになっている。
【００５３】
支圧板３３は、図１４に示すように、円形もしくは多角形の金属性のプレートで、中央部に貫通孔３３ａを有している。貫通孔３３ａの内周面は、前記緊張材３１が伸びた方向に向かって断面が縮小され、該緊張材３１の軸線に対して傾斜している。この傾斜角は、ナット３２の楔状部３２ａにおける外周面の傾斜角と対応しており、ナット３２を貫通孔３３ａに嵌め入れたときに、楔状部３２ａの外周面がこの貫通孔３３ａの内周面に密接し、楔状に係止されるものとなっている。
また、この支圧板３３には、グラウト注入孔３３ｂが複数設けられている。グラウト注入孔３３ｂは、支圧板３３の表面における貫通孔３３ａの周辺から、支圧板３３の背面側における貫通孔の周辺へ貫通し、シース３４内に連通するものとなっている。
【００５４】
次に、上記緊張材定着具を用いて緊張材１に引張力を導入し、定着する方法について説明する。
まず、緊張材３１および支圧板３３をコンクリート構造体１０の所定の位置に配置する。支圧板３３は、コンクリート構造体１０の表面に当接するものであってもよいし、図１５に示すように、コンクリート構造体１０に埋め込んでおいてもよい。この支圧板３３は、貫通孔３３ａの中心を緊張材３１が配置されるべき中心線に一致させ、正確に配置する。
緊張材３１は、コンクリート構造体１０に埋め込まれたシース３４内に挿通し、定着する端部３１ａがコンクリート構造体１０内から支圧板３３の貫通孔に挿通されて、端部３１ａがコンクリート構造体から突出するように長さが設定されている。そして、支圧板３３の貫通孔３３ａから突出した端部３１ａには、ネジ部が設けられており、このネジ部にナット３２を螺合する。このナット３２は、支圧板３３の貫通孔内に嵌め合わされる位置までねじ込み、緊張材３１の位置を固定する。これにより、ナット３２は貫通孔３３aの内周面に沿って所定の位置に係止され、ナット３２の中心線つまり緊張材３１の中心線が貫通孔３３ａの中心と一致し、緊張材３１は所定の計画中心線上に位置するものとなる。
【００５５】
さらに、緊張材３１の端部には、一端に雌ネジ部が形成された緊張ロッド３５をねじ込んで連結し、この緊張ロッド３５にラムチェアー３６及びセンターホールジャッキ３７を装着する。そして、ナット３８によってセンターホールジャッキ８の後部に緊張ロッド３５を係止する。
【００５６】
その後、図１６に示すように、センターホールジャッキ３７を油圧により作動し、緊張ロッド３５を後方へ押し出す。これにより緊張材３１に引張力が導入され、緊張材３１に伸びが生じてナット３２も徐々にジャッキ側に引き出される。このナット３２を回転して支圧板３３側にねじ込んでゆき、緊張材３１に所定の緊張力が導入された時に、ラムチェアー３６の側方からナット３２の工具係合部３２bに工具を係合し、ナット３２を回転させて支圧板３３の貫通孔３３a内に強く締め込む。
【００５７】
その後、センターホールジャッキ３７による緊張ロッド３５の引張力を開放すると、緊張材３１の引張力はナット３２から支圧板３３に作用し、支圧板３３はコンクリート構造体１０の支圧面に圧接されてコンクリート構造体１０にプレストレスが導入される。
【００５８】
緊張材３１の定着後、図１７に示すように、センターホールジャッキ３７、ラムチェアー３６及び緊張ロッド３５を撤去し、緊張材３１は切断余長を残して切断する。また、図１８に示すように、グラウト注入孔３３bに接続した注入管３９からグラウトを圧入し、図１９に示すようにシース３４内の空間に充填する。その際、ナット３２は支圧板３３の貫通孔３３ｂ内で密着しており、さらに支圧板３３よりシース３４内に突出しているため、グラウトの充填されにくい空間は存在せず、グラウトの充填されていない残留空間は生じ難くなっている。
【００５９】
上記のように緊張材３１が定着されることにより、緊張材３１の定着部がコンクリート構造体１０の支圧面１０ａから突出する長さは、ナット３２の工具係合部３２bおよび緊張材３１の切断余長の合計長のみとなる。したがって、従来の緊張材定着具に比べて突出長を短縮することができ、保護コンクリート４０の層厚を薄くすることができる。
【図面の簡単な説明】
【００６０】
【図１】本願発明の一実施形態である緊張材定着具を示す概略断面図である。
【図２】図１に示す緊張材定着具で用いられる長ナットの平面図、側面図及び断面図である。
【図３】図１に示す緊張材定着具で用いられる定着ナットの平面図、側面図、断面図及び底面図である。
【図４】図１に示す緊張材定着具で用いられる支圧板の平面図及び断面図である。
【図５】図１に示す緊張材定着具を用いて緊張作業及び定着作業を行う手順を示す概略図である。
【図６】図１に示す緊張材定着具を用いて緊張作業及び定着作業を行う手順を示す概略断面図である。
【図７】図１に示す緊張材定着具を用いて緊張作業及び定着作業を行う手順を示す概略断面図である。
【図８】図１に示す緊張材定着具を用いて緊張作業及び定着作業を行う手順を示す概略断面図である。
【図９】図１に示す緊張材定着具を用いて緊張作業及び定着作業を行う手順を示す概略断面図である。
【図１０】図１に示す緊張材定着具を用いて緊張作業及び定着作業を行う手順を示す概略断面である。
【図１１】図１に示す緊張材定着具におけるガイドナットの機能を説明するための参考断面図である。
【図１２】本願発明の他の実施形態である緊張材定着具を示す概略断面図である。
【図１３】図１２に示す緊張材定着具で用いられるナットの平面図、側面図、断面図及び底面図である。
【図１４】図１２に示す緊張材定着具で用いられる支圧板の平面図及び断面図である。
【図１５】図１２に示す緊張材定着具を用いて緊張作業及び定着作業を行う手順を示す概略断面図である。
【図１６】図１２に示す緊張材定着具を用いて緊張作業及び定着作業を行う手順を示す概略断面図である。
【図１７】図１２に示す緊張材定着具を用いて緊張作業及び定着作業を行う手順を示す概略断面図である。
【図１８】図１２に示す緊張材定着具を用いて緊張作業及び定着作業を行う手順を示す概略断面図である。
【図１９】図１２に示す緊張材定着具を用いて緊張作業及び定着作業を行う手順を示す概略断面図である。
【図２０】従来の緊張材定着具を示す概略断面図である。
【図２１】図２０に示す緊張材定着具を用いて緊張作業及び定着作業を行う状態を示す概略断面図である。
【図２２】図２０に示す緊張材定着具を用いて緊張作業及び定着作業を行った後の処理を示す概略図である。
【図２３】従来の緊張材定着具における問題点の一つを示す概略断面図である。
【符号の説明】
【００６１】
１０：コンクリート構造体、    １１：緊張材、    １２：長ナット、    １２ａ：長ナットの外周面に設けられたネジ山、    １２ｂ：ピン、    １３：定着ナット、    １３ａ：楔状部、    １３ｂ：工具係合部、    １４：支圧板、    １４ａ：貫通孔、    １４ｂ：グラウト注入孔、    １５：シース、    １５ａ：シースの拡径部、    １６：延長鋼材、    １７：センターホールジャッキ、    １８：ガイドナット、    １９：ナット、    ２０：ラムチェアー、    ２１：保護ナット、    ２２：グラウトの注入管、    ２３：保護コンクリート、
３１：緊張材、    ３２：ナット、    ３２ａ：楔状部、    ３２ｂ：工具係合部、    ３３：支圧板、    ３３ａ：貫通孔、    ３３ｂ：グラウト注入孔、    ３４：シース、    ３５：緊張ロッド、    ３６：ラムチェアー、    ３７：センターホールジャッキ、    ３８：ナット、    ３９：グラウトの注入管、    ４０：保護コンクリート
１００：コンクリート構造体、    １０１：緊張材、    １０２：ナット、    １０３：支圧板、    １０４：緊張ロッド、    １０５：ラムチェアー、    １０６：センターホールジャッキ、    １０７：ナット、
【図１】
2007255149.tif 000003
【図２】
2007255149.tif 000004
【図３】
2007255149.tif 000005
【図４】
2007255149.tif 000006
【図５】
2007255149.tif 000007
【図６】
2007255149.tif 000008
【図７】
2007255149.tif 000009
【図８】
2007255149.tif 000010
【図９】
2007255149.tif 000011
【図１０】
2007255149.tif 000012
【図１１】
2007255149.tif 000013
【図１２】
2007255149.tif 000014
【図１３】
2007255149.tif 000015
【図１４】
2007255149.tif 000016
【図１５】
2007255149.tif 000017
【図１６】
2007255149.tif 000018
【図１７】
2007255149.tif 000019
【図１８】
2007255149.tif 000020
【図１９】
2007255149.tif 000021
【図２０】
2007255149.tif 000022
【図２１】
2007255149.tif 000023
【図２２】
2007255149.tif 000024
【図２３】
2007255149.tif 000025